(57)【要約】【課題】常時立てて用いる大画面表示用の情報表示用パネルにおいても、表示媒体とする粒子群の偏在をなくすことができ、表示品質の低下および駆動性の低下を防ぐことができ、さらに表示画面の鮮明度を良好にすることができる情報表示用パネルを提供する。【解決手段】帯電性粒子を含んだ粒子群として構成した表示媒体を、パネル基板間の空間を隔壁で区切って設けたセル内で、観察側となるパネル基板側に配置した電極と、背面側となるパネル基板側に配置した電極とが、対向して形成する対向画素電極対間に形成した電界で、パネル基板間を移動させて情報を表示する情報表示用パネルであって、粒子群を配置するセルを形成する隔壁４において、少なくとも１つの画素の周囲に設けた有色隔壁４−１と、有色隔壁の内側領域をさらに細かく区切って複数のセルを形成する透明隔壁４−２と、から構成する。【選択図】図４
2011018007.tif 000002
【特許請求の範囲】
【請求項１】
帯電性粒子を含んだ粒子群として構成した表示媒体を、パネル基板間の空間を隔壁で区切って設けたセル内で、観察側となるパネル基板側に配置した電極と、背面側となるパネル基板側に配置した電極とが、対向して形成する対向画素電極対間に形成した電界で、パネル基板間を移動させて情報を表示する情報表示用パネルであって、粒子群を配置するセルを形成する隔壁において、少なくとも１つの画素の周囲に設けた有色隔壁と、有色隔壁の内側領域をさらに細かく区切って複数のセルを形成する透明隔壁と、から構成されることを特徴とする情報表示用パネル。
【請求項２】
常時立てて用いられる情報表示用パネルであって、前記有色隔壁および前記透明隔壁で形成された対向する隔壁間の距離において、縦方向の対向隔壁間距離が１００μｍ〜３００μｍで、横方向の対向隔壁間距離が１００μｍ〜４００μｍであることを特徴とする請求項１に記載の情報表示用パネル。
【請求項３】
前記少なくとも１つの画素の周囲に設けた有色隔壁の対向隔壁間の距離において、縦方向の対向隔壁間距離が３００μｍを超え、横方向の対向隔壁間距離が４００μｍを超えることを特徴とする請求項２に記載の情報表示用パネル。
【請求項４】
前記有色隔壁を、１画素の周囲に設けたことを特徴とする請求項１〜３のいずれか１項に記載の情報表示用パネル。
【請求項５】
前記観察側のパネル基板に設けた電極と、背面側のパネル基板に設けた電極とが、対向して形成する対向画素電極対を四角形で構成するとともにマトリックス配置したことを特徴とする請求項１〜４のいずれか１項に記載の情報表示用パネル。
【請求項６】
前記有色隔壁を、複数画素の周囲に設けたことを特徴とする請求項１、２、３、５のいずれか１項に記載の情報表示用パネル。
【請求項７】
前記有色隔壁を、４画素で構成される階段型八角形の周囲に設けたことを特徴とする請求項６に記載の情報表示用パネル。
【請求項８】
前記有色隔壁の色が黒色もしくは白色のいずれかであることを特徴とする請求項１〜７のいずれか１項に記載の情報表示用パネル。
【請求項９】
前記透明隔壁の幅が前記有色隔壁の幅よりも小さいことを特徴とする請求項１〜８のいずれか１項に記載の情報表示用パネル。
【請求項１０】
前記透明隔壁が、観察側基板の側で先細り形状となっていることを特徴とする請求項１〜９のいずれか１項に記載の情報表示用パネル。
【発明の詳細な説明】
【技術分野】
【０００１】
本発明は、帯電性粒子を含んだ粒子群として構成した表示媒体を駆動させて画像等の情報表示を行う情報表示用パネルに関するものであり、特に、画素サイズが縦３００μｍ超×横４０μｍ超の大画面表示に好適な常時立てて用いる情報表示用パネルに関するものである。
【背景技術】
【０００２】
帯電性粒子を含んだ粒子群を表示媒体として駆動させる帯電粒子移動型ディスプレイパネルとして、パネル基板間を隔壁で仕切って構成し、その隔壁で囲まれた小部屋（セル）内に表示媒体とする粒子群を封入し、基板に設けた対電極間に電界を形成して表示媒体を移動させて画像等の情報を表示するディスプレイパネルが知られている。
【０００３】
また、帯電性粒子を含んだ粒子群を配置するセルと、粒子群に電界を付与するために配置する対向電極対が形成する画素（サブピクセルと言うこともある）との関係を、セル対画素を１対１に対応させることが知られている。さらに、帯電性粒子を含んだ粒子群を配置するセルと、粒子群に電界を付与するために配置する対向電極対が形成する画素（サブピクセルと言うこともある）との関係を、対応させない（例えば、四角形の画素に対して六角形のセルをハニカム状に設ける）ことが知られている（例えば、特許文献１参照）。
【先行技術文献】
【特許文献】
【０００４】
【特許文献１】国際公開ＷＯ２００５／０１５８９２号公報
【発明の概要】
【発明が解決しようとする課題】
【０００５】
情報表示を行うディスプレイパネルでは、その目的によってはさほど高精細であることを要しない場合があり、その場合には比較的大サイズの画素を設ける。特に、大画面のディスプレイパネルでは、例えば、図１７および図１８に一例を示すように、対向するパネル基板の各別に、５００μｍ幅のカラム電極と５００μｍ幅のロウ電極とを形成し、それらが直交するように対向させて、５００μｍ×５００μｍの比較的大サイズの四角形状の画素にして、画素数を小画面ディスプレイパネルと同じにすることでドライバーＩＣの数を増やさないようにすることがなされていた。図１７に示した例は、５００μｍ×５００μｍの比較的大サイズの四角形状の画素の周囲に隔壁を設け、この隔壁で囲まれたセル内に表示媒体とする粒子群を配置する構成であり、この場合、縦方向の対向隔壁間の距離Ｄ１は、Ｄ１≧５００μｍとなり、横方向の対向隔壁間の距離Ｄ２は、Ｄ２≧５００μｍとなる。図１８に示した例は、５００μｍ×５００μｍの比較的大サイズの四角形状の４画素の周囲に隔壁を設け、この隔壁で囲まれたセル内に表示媒体とする粒子群を配置する構成であり、この場合も、縦方向の対向隔壁間の距離Ｄ１は、Ｄ１＞１０００μｍとなり、横方向の対向隔壁間の距離Ｄ２は、Ｄ２＞１０００μｍとなる。そして、このようなセル内に、平均粒子径が１μｍ〜２０μｍの粒子群を表示媒体として配置した場合には、粒子群が駆動する度にパネル基板と平行な方向に位置ずれを起こして偏在するようになり、表示品質を低下させることがあった。
【０００６】
また、図１７および図１８に示した画素よりもやや小さい画素とするように、対向するパネル基板の各別に、４００μｍ幅のカラム電極と４００μｍ幅のロウ電極とを形成し、それらが直交するように対向させて、４００μｍ×４００μｍの比較的大サイズの四角形状の画素にして、図１７に示した例と同様に、４００μｍ×４００μｍの比較的大サイズの四角形状の画素の周囲に、縦方向の対向隔壁間の距離Ｄ１が４００μｍで、横方向の対向隔壁間の距離Ｄ２が４００μｍとなるように隔壁を設け、この隔壁で囲まれたセル内に表示媒体とする粒子群を配置する構成にして、セル内に、平均粒子径が１μｍ〜２０μｍの粒子群を表示媒体として配置した場合には、パネルを水平に近い状態で表示書換えを繰り返した場合には不具合を発生しなかったが、パネルを垂直に近い状態で表示書換えを繰り返した場合に、粒子群が移動する度にパネル基板と平行な方向、特に立てたパネルの下方向に位置ずれを起こして偏在するようになり、表示品質を低下させる不具合が発生することがあった。
【０００７】
上述したように、特に、常時立てて用いられる大画面ディスプレイパネルでは、表示した情報を書換える時、言い換えれば、表示媒体である粒子群を移動させるときも、立て掛けてあったり、壁などに掛けてあったりしているので、地面に対して垂直方向を０°としたとき−４５°〜＋４５°の範囲にあるパネル基板間を粒子群が移動することになる。従って、移動する粒子個々には、移動方向とは異なる方向に重力が働き、粒子群が駆動する度に縦方向に位置ずれを起こして偏在するようになり、粒子群が駆動しにくくなる（駆動性が低下する）ことに繋がったと考えられる。
【０００８】
また、表示画面において隔壁が占める部分は表示できない非表示部分となるため、できるだけ幅を細くして非表示部分を小さくすることが考えられるが、セル形成機能に加えて、パネル基板間ギャップ確保機能を担う必要があるこの隔壁には強度面からは幅を太くしたいこともある。そして、画素の周囲以外、すなわち、画素の上にも隔壁を形成してセルサイズを小さくしようとすると表示部分がさらに小さくなってしまうとともに、配置した隔壁が観察したときに目立ってしまうことも加わって、表示品質および表示画面の鮮明度を低下させてしまう不都合もあった。
【０００９】
本発明の目的は上述した問題点を解消して、立てて用いられることが多い大画面のディスプレイパネルとして用いられる比較的大サイズの画素を配置した情報表示用パネルにおいても、表示媒体とする粒子群の偏在をなくすことができ、表示品質の低下および駆動性の低下を防ぐことができ、さらに表示画面の鮮明度を良好にすることができる情報表示用パネルを提供しようとするものである。
【課題を解決するための手段】
【００１０】
本発明の情報表示用パネルは、帯電性粒子を含んだ粒子群として構成した表示媒体を、パネル基板間の空間を隔壁で区切って設けたセル内で、観察側となるパネル基板側に配置した電極と、背面側となるパネル基板側に配置した電極とが、対向して形成する対向画素電極対間に形成した電界で、パネル基板間を移動させて情報を表示する情報表示用パネルであって、粒子群を配置するセルを形成する隔壁において、少なくとも１つの画素の周囲に設けた有色隔壁と、有色隔壁の内側領域をさらに細かく区切って複数のセルを形成する透明隔壁と、から構成されることを特徴とするものである。
【００１１】
また、本発明の情報表示用パネルの好適例としては、常時立てて用いられる情報表示用パネルであって、前記有色隔壁および前記透明隔壁で形成された対向する隔壁間の距離において、縦方向の対向隔壁間距離が１００μｍ〜３００μｍで、横方向の対向隔壁間距離が１００μｍ〜４００μｍであること、前記少なくとも１つの画素の周囲に設けた有色隔壁の対向隔壁間の距離において、縦方向の対向隔壁間距離が３００μｍを超え、横方向の対向隔壁間距離が４００μｍを超えること、前記有色隔壁を、１画素の周囲に設けたこと、前記観察側のパネル基板に設けた電極と、背面側のパネル基板に設けた電極とが、対向して形成する対向画素電極対を四角形で構成するとともにマトリックス配置したこと、前記有色隔壁を、複数画素の周囲に設けたこと、前記有色隔壁を、４画素で構成される階段型八角形の周囲に設けたこと、前記有色隔壁の色が黒色もしくは白色のいずれかであること、前記透明隔壁の幅が前記有色隔壁の幅よりも小さいこと、前記透明隔壁が、観察側基板の側で先細り形状となっていること、がある。
【発明の効果】
【００１２】
本発明によれば、表示媒体とする粒子群、特には、平均粒子径が１μｍ〜２０μｍの粒子群を配置するセルを形成する隔壁において、少なくとも１つの画素の周囲に設けた有色隔壁と、有色隔壁の内側領域をさらに細かく区切って複数のセルを形成する透明隔壁と、から構成することで、立てて用いられることが多い大画面のディスプレイパネルで採用される比較的大サイズの画素、具体的には、横方向の長さが４００μｍ超で、縦方向の長さが３００μｍ超の画素を配置した情報表示用パネルにおいて、セルを形成する隔壁の縦方向の対向隔壁間距離を３００μｍ以下とし、セルを形成する隔壁の横方向の対向隔壁間距離を４００μｍ以下とするので、地面に対して垂直方向を０°としたとき−４５°〜＋４５°の範囲に常時立てて使用しても、すなわち、立てた状態で表示情報の書換えを繰り返して行なっても、セル内に表示媒体として配置された粒子群が、パネル基板と平行な方向に位置ずれを起こして偏在することがなく、表示品質が低下することがない情報表示用パネルとすることができる。さらに、有色隔壁の内側に形成する隔壁を透明にするとともに、パネル基板間ギャップ確保機能は担わせないようにしてできるだけ細くしたので、画素上に隔壁として形成されても、非表示部分が増えることを極力抑え、観察時にも目立たなくなり、表示画像の鮮明度が低下する問題を起こさない表示品質に優れた情報表示用パネルが得られる。
【００１３】
また、有色隔壁を黒色に構成して、１画素の周囲あるいは複数画素の周囲に設けた好適例では、ブラックマトリックスによる良好なコントラストを得ることができる効果を維持することができる。さらにまた、有色隔壁を白色に構成して、１画素の周囲あるいは複数画素の周囲に設けた好適例では、ホワイトマトリックスによる明るさに優れた表示を行える効果が得られる。
【００１４】
さらに、有色隔壁を、４画素で構成される階段型八角形の周囲に階段型八角形状に設けた好適例では、文字などの線を基調とした情報画像の表示にあたり、縦横の線はそれほど目立たず、ハニカム状の隔壁の場合のように、ドットが四角形から崩れてみえたり、干渉縞（モアレ）が発生することもなく、シャープで自然な文字などの線を基調とした画像が表現できる。
【００１５】
さらにまた、透明隔壁の幅が有色隔壁の幅よりも小さい好適例、および、透明隔壁が、先細り形状で構成されている好適例では、透明隔壁をより目立たなくすることができ、表示画像の明るさや鮮明度をより良好にすることができる。
【図面の簡単な説明】
【００１６】
【図１】（ａ）、（ｂ）は本発明の情報表示用パネルの原理的構成の一例を示す図である。
【図２】（ａ）、（ｂ）は本発明の情報表示用パネルの原理的構成の他の例を示す図である。
【図３】（ａ）、（ｂ）は本発明の情報表示用パネルの原理的構成のさらに他の例を示す図である。
【図４】（ａ）、（ｂ）はそれぞれ本発明の情報表示用パネルの一例の構成を説明するための図である。
【図５】（ａ）、（ｂ）はそれぞれ本発明の情報表示用パネルの他の例の構成を説明するための図である。
【図６】（ａ）、（ｂ）はそれぞれ本発明の情報表示用パネルのさらに他の例の構成を説明するための図である。
【図７】（ａ）、（ｂ）はそれぞれ本発明の情報表示用パネルのさらに他の例の構成を説明するための図である。
【図８】本発明の情報表示用パネルのさらに他の例の構成を説明するための図である。
【図９】本発明の情報表示用パネルのさらに他の例の構成を説明するための図である。
【図１０】本発明の情報表示用パネルのさらに他の例の構成を説明するための図である。
【図１１】（ａ）、（ｂ）はそれぞれ本発明の情報表示用パネルのさらに他の例の構成を説明するための図である。
【図１２】（ａ）、（ｂ）はそれぞれ本発明の情報表示用パネルのさらに他の例の構成を説明するための図である。
【図１３】（ａ）〜（ｃ）はそれぞれ本発明の情報表示用パネルの一例の１画素においてパネル構造、白ドット表示状態および黒ドット表示状態を説明するための図である。
【図１４】（ａ）〜（ｃ）はそれぞれ本発明の情報表示用パネルの他の例の１画素においてパネル構造、白ドット表示状態および黒ドット表示状態を説明するための図である。
【図１５】（ａ）〜（ｃ）はそれぞれ本発明の情報表示用パネルのさらに他の例の１画素においてパネル構造、白ドット表示状態および黒ドット表示状態を説明するための図である。
【図１６】（ａ）〜（ｃ）はそれぞれ本発明の情報表示用パネルのさらに他の例の１画素においてパネル構造、白ドット表示状態および黒ドット表示状態を説明するための図である。
【図１７】従来のドットマトリックス型情報表示用パネルの一例の構成を説明するための図である。
【図１８】従来のドットマトリックス型情報表示用パネルの他の例の構成を説明するための図である。
【発明を実施するための形態】
【００１７】
まず、本発明の情報表示用パネルによる情報表示について説明する。本発明の情報表示用パネルでは、対向する２枚の基板間の空間に封入した光学的反射率を有する帯電性粒子を含んだ粒子群として構成された表示媒体に電界が付与される。付与された電界方向に沿って、表示媒体が電界による力やクーロン力などによって引き寄せられ、表示媒体が電界方向の変化によって移動することにより、画像等の情報表示がなされる。従って、表示媒体が、均一に移動し、かつ、繰り返し表示情報を書き換える時あるいは表示情報を継続して表示する時の安定性を維持できるように、表示パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００１８】
本発明の情報表示用パネルに適用している情報表示の原理を、図１（ａ）、（ｂ）〜図３（ａ）、（ｂ）に基づき説明する。
【００１９】
図１（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ＴＦＴ（薄膜トランジスタ）付き画素電極）と基板２に設けた電極６（共通電極）との間に電圧を印加することにより発生する電界に応じて、基板１、２と垂直に移動させる。そして、図１（ａ）に示すように白色表示媒体３Ｗを観察者に視認させて白色の表示を、あるいは、図１（ｂ）に示すように黒色表示媒体３Ｂを観察者に視認させて黒色の表示を白黒のドットでマトリックス表示している。なお、図１（ａ）、（ｂ）において、手前にある隔壁は省略している。また、ここではセルと画素（ドット）とが１対１に対応する例を示している。ここでは、セル空間が気体（真空も含む）で満たされている帯電粒子気体中移動方式の情報表示用パネルの例を説明したが、気体の代わりに、絶縁液体を用いた帯電粒子液体中移動方式（電気泳動方式）の情報表示用パネルとすることもできる。
【００２０】
図２（ａ）、（ｂ）に示す例では、少なくとも光学的反射率および帯電性を有する粒子を含んだ粒子群として構成した少なくとも２種類の表示媒体（ここでは負帯電性白色粒子３Ｗａを含んだ粒子群として構成した白色表示媒体３Ｗと正帯電性黒色粒子３Ｂａを含んだ粒子群として構成した黒色表示媒体３Ｂを示す）を、隔壁４で形成された各セルにおいて、基板１に設けた電極５（ライン電極）と基板２に設けた電極６（ライン電極）とが対向直交交差して形成する画素電極対の間に電圧を印加することにより発生する電界に応じて、基板１、２と垂直に移動させる。そして、図２（ａ）に示すように白色表示媒体３Ｗを観察者に視認させて白色の表示を、あるいは、図２（ｂ）に示すように黒色表示媒体３Ｂを観察者に視認させて黒色の表示を白黒のドットでマトリックス表示している。なお、図２（ａ）、（ｂ）において、手前にある隔壁は省略している。また、ここではセルと画素（ドット）とが１対１に対応する例を示している。
【００２１】
図３（ａ）、（ｂ）に示す例では、３個のセル（サブピクセル）で表示単位（１ピクセル）を構成するカラー表示の例を示している。図３（ａ）、（ｂ）に示す例では、表示媒体としてはセル２１−１〜２１−３の全てに白色表示媒体３Ｗと黒色表示媒体３Ｂとを充填し、第１のセル２１−１の観察者側に赤色カラーフィルター２２Ｒを設け、第２のセル２１−２の観察者側に緑色カラーフィルター２２Ｇを設け、第３のセル２１−３の観察者側に青色カラーフィルター２２ＢＬを設け、第１のセル２１−１、第２のセル２１−２および第３のセル２１−３の３個のセル（サブピクセル）で表示単位（１ピクセル）を構成している。本例では、カラー表示を行う際に、図３（ａ）に示すように、観察者側に、第１セル２１−１〜第３のセル２１−３の全てにおいて白色表示媒体３Ｗを移動すると、観察者に対し白色ドット表示を行うことができ、図３（ｂ）に示すように、観察者側に、第１セル２１−１〜第３のセル２１−３の全てにおいて黒色表示媒体３Ｂを移動すると、観察者に対し黒色ドット表示を行うことができる。なお、図３（ａ）、（ｂ）において、手前にある隔壁は省略している。ここでは、セルと画素（サブピクセル）とが１対１に対応する例を示している。
【００２２】
以下、本発明の、立てて使用されることが多い、縦３００μｍ超×横４００μｍ超の比較的大サイズの画素で構成される画面を有する情報表示用パネルについて、その各特徴部分について詳細に説明する。
【００２３】
本発明の情報表示用パネルにおいては、帯電性粒子を含んだ粒子群として構成した表示媒体を駆動させる方式の情報表示用パネルであって、特に、さほど高精細であることを要しない用途に用いられる画素サイズが縦３００μｍ超×横４００μｍ超であって比較的大きな画面（情報表示領域）を有する情報表示用パネルにおいて、粒子群を配置するセルと、対向パネル基板に形成した対向電極対で構成される画素（ピクセルといったり、サブピクセルといったりする）との構成関係を、１画素に複数セルが配置されるよう、有色隔壁および透明隔壁を配置した。
【００２４】
また、縦３００μｍ超×横４００μｍ以下の比較的大サイズの画素で構成される画面を有する情報表示用パネルにおいては、少なくとも横方向に透明隔壁を形成して、粒子群を配置したセル個々の縦方向の対向隔壁間距離を３００μｍ以下となるようにして、セルと画素（サブピクセルともいう）との構成関係を、１画素に複数のセルが配置されるようにした。
【００２５】
具体的には、画素（サブピクセルともいう）の大きさと同じ大きさのセルあるいは画素よりもやや大きく形成されたセルをさらに細かく透明隔壁で仕切るようにして複数のセルを形成する。１画素に配置する複数のセル数は、少なくとも２個とし、画素の大きさに対して、セルの大きさが縦５０μｍ×横５０μｍよりも小さくならない範囲の数まで設けることができる。これは、表示媒体とする粒子群の平均粒子径の好ましい範囲が、１μｍ〜２０μｍであり、この大きさの粒子を収納するセルの大きさとして縦５０μｍ×横５０μｍ以上であることが好ましいからである。縦５０μｍ×横５０μｍより小さいセルとすると、収納した粒子群が移動し難くなる不都合がある。本発明において好ましいセルサイズは、縦方向では５０μｍ〜３００μｍであり、横方向では５０μｍ〜４００μｍである。画素サイズが大きい場合には、画素の周りに形成した有色隔壁の内側の画素上に透明隔壁を設けて上記範囲のサイズでセルを設けるので、透明隔壁が配置された部分が非表示部分となってしまうことは起こってしまう。従って、画素上に設ける透明隔壁はできるだけ少なくして、セルサイズとしては上記範囲の上限付近にするのが好ましい。
【００２６】
１画素に配置する複数のセルの大きさは、情報表示用パネルを、地面に対して垂直方向を０°としたとき−４５°〜＋４５°の範囲で常時立てて用いる場合には、横方向では、５０μｍ〜４００μｍの範囲が好ましく、５０μｍ〜３００μｍの範囲がさらに好ましく、縦方向では、５０μｍ〜３００μｍの範囲が好ましい。
【００２７】
情報表示用パネルのセルを形成する隔壁の対向する部分間の距離は最大でも４００μｍあり、垂直方向を０°としたとき−４５°〜＋４５°の範囲で立てて情報表示用パネルが用いられた時に縦方向に位置する場合にはこの隔壁の対向する部分間の距離は最大でも３００μｍである。本発明では少なくとも１画素の周囲に有色隔壁を設けるので、この有色隔壁で囲む領域は画素の形状に合わせたものとすることができる。画素を四角形にした場合には有色隔壁で囲む領域の形状を四角形を基調とした多角形としたり、画素を六角形にした場合には有色隔壁で囲む領域の形状を六角形を基調とした多角形としたりすることができる。六角形の領域を囲む隔壁では情報表示用パネル画面に対する六角形セルの配置の向きによって画面の縦横に対する関係が異なるが、画面横方向および画面縦方向を基準にした隔壁の対向する部分間距離において前記範囲になるようにする。有色隔壁で囲む領域の形状は画素と異なるようにすることもできる。例えば、画素を六角形にして有色隔壁で囲む領域の形状をそれよりも大きい四角形を基調にした多角形とすることができる。隔壁同士が交わるセルの角部には丸みを持たせると粒子群が移動しやすくなるので好ましい。
【００２８】
画素（ドットとも、場合によってサブピクセルともいう）の外側に、１以上の画素を囲むように形成する隔壁は透明としないで有色とする。セルを形成するとともに、パネル基板間ギャップを確保する部分となる前記有色隔壁は、画素と重ならない範囲で幅広に形成できる。幅広に形成することによってパネル基板間ギャップ確保機能が向上するとともに、パネル基板との接合強度も高まるので好ましいが、反対に幅広にすると観察時にこの有色隔壁の色が目立ちすぎて、表示状態に与える影響が大きくなるので、バランスを配慮して設計する。
【００２９】
２枚のパネル基板を貼り合わせるときの接合は、パネル基板間ギャップ確保機能を担う有色隔壁部分の頂上と、相手側パネル基板表面とで行い、１画素内をさらに仕切る透明隔壁部分では接合しない構造とすることができる。もちろん、透明隔壁とパネル基板とをも貼り合わせてもよいが、観察側パネル基板面で貼り合わせる場合には透明な接着剤を用いる。
【００３０】
前記構造とするには、有色隔壁と、画素内に形成する透明隔壁とは、同じパネル基板に設けてもよいし、それぞれ別のパネル基板に設けてもよい。また、画素内に形成する透明隔壁を、貼り合わせた時に対向するようにそれぞれ別のパネル基板に設けてもよい。この場合もパネル基板の貼り合わせ接合は、パネル基板間ギャップ確保を担う有色隔壁部分の頂上と相手側パネル基板表面とで行うので、画素内に形成する透明隔壁の高さは、双方の高さを合計してもパネル基板間ギャップ以下となるようにする。
【００３１】
透明隔壁を２枚のパネル基板に形成した透明隔壁同士を対向させた対向隔壁とする場合、対向部分に隙間があってもよく、その対向位置はパネル基板間の中央付近であることが好ましい。また隙間は、表示媒体とする粒子群の平均粒子径以下とすることが好ましい。前述した構成とすれば、粒子が隣のセルに移動する不具合を起こすこともないし、粒子が基板間を移動しにくくなる不具合を起こすこともない。
【００３２】
パネル基板間ギャップ確保用となる有色隔壁の幅は、２０μｍ〜１００μｍの範囲が好ましく、有色隔壁で囲まれたセルの内側に形成する透明隔壁の幅は、５μｍ〜３０μｍの範囲で、できるだけ細くすることが好ましい。また、画素内に形成する透明隔壁を、縦断面において先細り形状として観察側のセル開口部を大きくすることも表示領域が増すので好ましい。さらにまた、有色隔壁で囲まれたセルの内側に形成する透明隔壁を対向配置する構成とする場合、対向部分を縦断面において先細り形状とすることも、隔壁の対向位置がずれても粒子移動性に支障が出ないので好ましい。
【００３３】
パネル基板間ギャップ確保用として設ける有色隔壁の形状や配置は画素形状および画素配置に合わせるが、有色隔壁で囲まれたセルの内側に形成する透明隔壁の形成位置は、縦方向の対向隔壁間距離を３００μｍ以下とし、横方向の対向隔壁間距離を４００μｍ以下とする範囲で自由に設計できる。
【００３４】
本発明では上記に加えて、画素の外側に形成するパネル基板間ギャップ確保用となる有色隔壁の色は黒色または白色とするのが好ましい態様としてある。
【００３５】
画素の外側に形成するパネル基板間ギャップ確保用となる有色隔壁において、黒色または白色とするのが好ましいのは、それぞれブラックマトリックス、ホワイトマトリックスとしての作用効果が得られるようになるからであり、観察側に位置する部分のみ黒色または白色になればよく、当該隔壁のその他の部分を、透明を含む他の色とすることができる。
【００３６】
画素の外側に形成するパネル基板間ギャップ確保用となる有色隔壁の色を黒色もしくは白色のいずれかとするのが好ましいのは、黒色とすれば表示画像の鮮明度が向上し、白色とすれば表示画面の明るさが向上するからである。どちらの表示特性を重視するかは情報表示用パネルの用途に応じて適宜設計することができる。
【００３７】
上述した本発明の特徴部分の説明において、パネルを水平に置いた状態で駆動する場合でも、セルサイズが縦４００μｍ超×横４００μｍ超であると粒子の偏在が起こる。パネルを立てて使用する場合には、セルサイズを４００μｍ以内×４００μｍ以内にしても重力によって粒子群が下方に偏在しやすいので、縦方向での対向隔壁間距離を３００μｍ以下とすることによってこれを抑制する。粒子の偏在が起こる要因は解明できていないが、粒子が一方の電極から離れて他方の対向電極に移動する際に、周囲にある隔壁から、引き寄せられる力あるいは押しのけられる力を受けると考えられ、この力が、隔壁からの距離によって異なることから粒子がセル中央付近に偏在したり、隔壁付近に偏在したりするものと推量される。粒子群として平均粒子径が１μｍ〜２０μｍの範囲にあるものを用いた実験によってその上限値が４００μｍであることが分かった。パネルを立てて使用する場合には、上記に加えて重力が働くので、水平方向に配置された隔壁からの影響と相俟って粒子群が下方に偏在しやすいので、セル内の粒子すべてになるべく均等な隔壁からの影響が働くようにするために対向隔壁間の距離を狭めることが効果的であると推量される。粒子群として平均粒子径が１μｍ〜２０μｍの範囲にあるものを用いた実験によってその上限値が３００μｍであることが分かった。
【００３８】
次に、図４（ａ）、（ｂ）、図５（ａ）、（ｂ）、図６（ａ）、（ｂ）、図７（ａ）、（ｂ）、図８、図９、図１０および図１１（ａ）、（ｂ）を参照して、本発明の情報表示用パネルをさらに詳細に説明する。
【００３９】
図４（ａ）、（ｂ）に示す例では、対向するパネル基板の各別に直交するように形成されたライン状のカラム電極５とライン状のロウ電極６とが重なり合う部分から構成されるとともに、重なり合う画素形成部分を、パネル基板間のギャップ確保機能を担う基板間ギャップ確保用で黒色の有色隔壁４−１で囲み、１画素の周囲に有色隔壁を形成している。ここで、１画素を囲む有色隔壁の縦方向の対向隔壁間距離ＤＣは３００μｍを超え、横方向の対向隔壁間距離ＤＲは４００μｍとなっている。そして、図４（ａ）に示す例では、１セルの中間でカラム電極５を横切る図中横方向に、基板間ギャップ確保用で黒色の有色隔壁４−１よりも幅の狭いセル形成用の透明隔壁４−２を形成する。これにより、有色隔壁で囲んだ内側に２個のセルを形成し、縦方向の対向隔壁間距離Ｄ１を３００μｍ以下としている。図４（ａ）に示す例では、パネルを立て掛けて設置する場合、画面上下方向すなわちカラム電極５が縦となるように立て掛ける。また、図４（ｂ）に示す例では、図４（ａ）に示す例と同様に、１セルの中間で図中横方向にセル形成用の透明隔壁４−２を形成するとともに、１セルの中間で図中縦方向に、基板間ギャップ確保用で黒色の有色隔壁４−１よりも幅の狭いセル形成用の透明隔壁４−２を形成する。これにより、有色隔壁で囲んだ内側に４個のセルを形成し、縦方向の対向隔壁間距離Ｄ１を５０μｍ〜２５０μｍとし、横方向の対向隔壁間距離Ｄ２を５０μｍ〜３５０μｍとしている。図４（ｂ）に示す例では、パネルを立て掛けて設置する場合、カラム電極５が縦となるように立て掛ける。透明隔壁４−２を１セルのほぼ中間の位置に形成すれば、３００μｍを超える対向隔壁間距離の部分がないので、いずれの方向に立て掛けてもよい。
【００４０】
図４（ａ）、（ｂ）に示す例において、画素の外側に形成する基板間ギャップ確保用の有色隔壁４−１は黒色とし、有色隔壁の内側に画素と重なるようにして形成するセル形成用の透明隔壁４−２は透明としているので、表示画面が暗くなる問題がなく、ブラックマトリックス効果により表示画面全体の鮮明度が上がり表示品質も向上した。なお、本例において、有色隔壁４−１が黒色とは、有色隔壁４−１の全体を黒色とする場合を含むだけでなく、透明あるいは黒色以外の色の隔壁の観察側端部のみ黒色とする場合も含むことを意味している。
【００４１】
図５（ａ）、（ｂ）に示す例では、対向するパネル基板の各別に直交するように形成されたライン状のカラム電極５とライン状のロウ電極６とが重なり合う部分から構成されるとともに、重なり合う画素形成部分を、パネル基板間のギャップ確保機能を担う基板間ギャップ確保用で白色の有色隔壁４−１で囲み１画素の周囲に有色隔壁を形成している。ここで、１画素を囲む有色隔壁の縦方向の対向隔壁間距離ＤＣは３００μｍを超え、横方向の対向隔壁間距離ＤＲは４００μｍとなっている。そして、図５（ａ）に示す例では、１セルの中間でカラム電極５を横切る図中横方向に、基板間ギャップ確保用で白色の有色隔壁４−１よりも幅の狭いセル形成用の透明隔壁４−２を形成する。これにより、有色隔壁で囲んだ内側に２個のセルを形成し、縦方向の対向隔壁間距離Ｄ１を５０μｍ〜２５０μｍとしている。図５（ａ）に示す例では、パネルを立て掛けて設置する場合、画面上下方向すなわちカラム電極５が縦となるように立て掛ける。また、図５（ｂ）に示す例では、図５（ａ）に示す例と同様に、１セルの中間で図中横方向にセル形成用の透明隔壁４−２を形成するとともに、１セルの中間で図中縦方向に、基板間ギャップ確保用で白色の有色隔壁４−１よりも幅の狭いセル形成用の透明隔壁４−２を形成する。これにより、有色隔壁で囲んだ内側に４個のセルを形成し、縦方向の対向隔壁間距離Ｄ１を５０μｍ〜２５０μｍとし、横方向の対向隔壁間距離Ｄ２を５０μｍ〜３５０μｍとしている。図５（ｂ）に示す例では、パネルを立て掛けて設置する場合、カラム電極５が縦となるように立て掛ける。透明隔壁４−２を１セルのほぼ中間の位置に形成すれば、３００μｍを超える対向隔壁間距離の部分がないので、いずれの方向に立て掛けてもよい。
【００４２】
図５（ａ）、（ｂ）に示す例において、画素の外側に形成する基板間ギャップ確保用の有色隔壁４−１は白色とし、有色隔壁の内側に形成するセル形成用の透明隔壁４−２は透明としているので、画像が不鮮明になる問題がなく、ホワイトマトリックス効果により表示画面全体の明るさが上がり表示品質も向上した。なお、本例において、有色隔壁４−１が白色とは、有色隔壁４−１の全体を白色とする場合を含むだけでなく、透明あるいは白色以外の色の隔壁の観察側端部のみ白色とする場合も含むことを意味している。
【００４３】
図６（ａ）に示す例では、対向するパネル基板の各別に直交するように形成されたライン状のカラム電極５とライン状のロウ電極６とが重なり合う部分から構成されるとともに、重なり合う画素形成部分を、パネル基板間のギャップ確保機能を担う基板間ギャップ確保用で黒色の有色隔壁４−１で囲み１画素の周囲に有色隔壁を形成している。ここで、１画素を囲む有色隔壁の縦方向の対向隔壁間距離ＤＣは３００μｍを超え、横方向の対向隔壁間距離ＤＲは４００μｍとなっている。そして、図６（ａ）に示す例では、１セルを三等分した位置で図中横方向に、それぞれが基板間ギャップ確保用で黒色の有色隔壁４−１よりも幅の狭い２つのセル形成用の透明隔壁４−２を形成する。これにより、有色隔壁で囲んだ内側に３個のセルを形成し、縦方向のすべての対向隔壁間距離Ｄ１を３００μｍ以下としている。図６（ａ）に示す例では、パネルを立て掛けて設置する場合、カラム電極５が縦となるように立て掛ける。
【００４４】
図６（ｂ）に示す例では、１画素を囲む有色隔壁を青色隔壁とし、縦方向の対向隔壁間距離ＤＣは３００μｍを超え、横方向の対向隔壁間距離ＤＲは４００μｍを超えている。そして、図６（ｂ）に示す例では、１セルを３等分した位置であって図中横方向に、それぞれが基板間ギャップ確保用で青色の有色隔壁４−１よりも幅の狭い２本のセル形成用の透明隔壁４−２を形成するとともに、１セルのほぼ中間で図中縦方向にセル形成用の透明隔壁４−２を形成する。これにより、有色隔壁で囲んだ内側に６個のセルを形成し、縦方向のすべての対向隔壁間距離Ｄ１を３００μｍ以下とし、横方向のすべての対向隔壁間距離Ｄ２を４００μｍ以下としている。図６（ｂ）に示す例ですべてのＤ２を３００μｍ以下とした場合は、パネルを立て掛けて設置する場合、いずれの方向に立て掛けることもできるが、カラム電極５が縦となるように立て掛ける方が好ましい。
【００４５】
図６（ａ）、（ｂ）に示す例において、画素の外側に形成する基板間ギャップ確保用の有色隔壁４−１は黒色（図６（ａ）の例）または青色（図６（ｂ）の例）とし、画素の内側に形成するセル形成用の透明隔壁４−２は透明としているので、表示画面が暗くなる問題がなく、表示画面全体の鮮明度が上がり表示品質も向上した。なお、本例において、有色隔壁４−１が黒色または青色とは、有色隔壁４−１の全体を黒色または青色とする場合を含むだけでなく、透明あるいは黒色または青色以外の色の隔壁の観察側端部のみ黒色または青色とする場合も含むことを意味している。
【００４６】
図７（ａ）に示す例では、対向するパネル基板の各別に形成された画素電極５及び共通電極６とが重なり合う部分から構成されるとともに、重なり合う画素形成部分を、パネル基板間のギャップ確保機能を担う基板間ギャップ確保用で白色の有色隔壁４−１で囲むことで、１画素を構成している。ここで、１画素を囲む有色隔壁の縦方向の対向隔壁間距離ＤＣは３００μｍを超え、横方向の対向隔壁間距離ＤＲは４００μｍとなっている。そして、図７（ａ）に示す例では、１セルを三等分した位置で図中横方向に、それぞれが基板間ギャップ確保用で白色の有色隔壁４−１よりも幅の狭い２つのセル形成用の透明隔壁４−２を形成する。これにより、白色隔壁で囲んだ内側に３個のセルを形成し、縦方向のすべての対向隔壁間距離Ｄ１を３００μｍ以下としている。図７（ａ）に示す例では、パネルを立て掛けて設置する場合、図面の縦上下方向に立て掛ける。
【００４７】
図７（ｂ）に示す例では、１画素を囲む有色隔壁を黒色隔壁とし、縦方向の対向隔壁間距離ＤＣは３００μｍを超え、横方向の対向隔壁間距離ＤＲは４００μｍを超えている。そして、図７（ｂ）に示す例では、１セルを３等分した位置であって図中横方向に、それぞれが基板間ギャップ確保用で黒色の有色隔壁４−１よりも幅の狭い２本のセル形成用の透明隔壁４−２を形成するとともに、１セルの中間で図中縦方向にセル形成用の透明隔壁４−２を形成する。これにより、黒色隔壁で囲んだ内側に６個のセルを形成し、縦方向のすべての対向隔壁間距離Ｄ１を３００μｍ以下にし、横方向のすべての対向隔壁間距離Ｄ２を４００μｍ以下としている。図７（ｂ）に示す例ですべてのＤ２を３００μｍ以下とした場合は、パネルを立て掛けて設置する場合、いずれの方向に立て掛けることもできる。
【００４８】
図８に示す例では、対向するパネル基板の各別に直交するように形成されたライン状のカラム電極５と、ライン状のロウ電極６とが重なり合う部分を１画素とし、４画素で形成する階段型八角形の領域の周囲を、パネル基板間ギャップ確保機能を担う基板間ギャップ確保用で黒色の有色隔壁４−１で囲んでいる。ここで、縦方向および横方向に位置する有色隔壁の縦方向の対向隔壁間距離ＤＣは３００μｍを超え、横方向の対向隔壁間距離となるＤＲは４００μｍになっている。そして、図８に示す例では、各画素内および有色隔壁で囲んだ内側の横方向に５本のセル形成用の透明隔壁４−２を形成して有色隔壁で囲んだ内側を縦方向に６分割するとともに、階段型八角形の周囲を囲む基板間ギャップ確保用で黒色の有色隔壁４−１内で横に隣接した画素間の２ヶ所にそれぞれ１本のセル形成用の透明隔壁４−２を形成する。これにより、縦方向の対向隔壁間距離Ｄ１のそれぞれを３００μｍ以下とし、横方向のすべての対向隔壁間距離ＤＲを４００μｍとしている。図８に示す例では、パネルを立て掛けて設置する場合、カラム電極５が縦になるように立て掛ける。
【００４９】
図９に示す例では、対向するパネル基板の各別に直交するように形成されたライン状のカラム電極５とライン状のロウ電極６とが重なり合う部分を１画素とし、４画素で形成する階段型八角形の周囲を、パネル基板間のギャップ確保機能を担う基板間ギャップ確保用で黒色の有色隔壁４−１で囲んでいる。ここで、縦方向および横方向に位置する有色隔壁の対向する部分間の距離ＤＣは３００μｍを超え、ＤＲは４００μｍを超えている。そして、図９に示す例では、各画素内および有色隔壁で囲んだ内側の横方向に５本のセル形成用の透明隔壁４−２を形成して有色隔壁で囲んだ内側を縦方向に６分割し、階段型八角形の周囲を囲む基板間ギャップ確保用で黒色の有色隔壁４−１内で横に隣接した画素間に各１本のセル形成用の透明隔壁４−２を形成するとともに、各画素内の縦方向に各１本のセル形成用の透明隔壁４−２を形成して有色隔壁で囲んだ内側を横方向に６分割する。これにより、縦方向のすべての対向隔壁間距離Ｄ１を３００μｍ以下とし、横方向のすべての対向隔壁間距離Ｄ２を４００μｍ以下としている。図９に示す例では、パネルを立て掛けて設置する場合、カラム電極５が縦になるように立て掛ける。
【００５０】
図１０に示す例では、対向するパネル基板の各別に形成された画素電極５及び共通電極６とが重なり合う部分を１画素とし、４画素で形成する階段型八角形の周囲を、パネル基板間のギャップ確保機能を担う基板間ギャップ確保用で黒色の有色隔壁４−１で囲んでいる。ここで、縦方向および横方向に位置する有色隔壁の対向する部分間の距離ＤＣは３００μｍを超え、ＤＲは４００μｍになっている。そして、図１０に示す例では、各画素内および有色隔壁で囲んだ内側の横方向に５本のセル形成用の透明隔壁４−２を形成して有色隔壁で囲んだ内側を縦方向に６分割するとともに、階段型八角形の周囲を囲む基板間ギャップ確保用で黒色の有色隔壁４−１内で横に隣接した画素間に各１本のセル形成用の透明隔壁４−２を形成する。これにより、縦方向のすべての対向隔壁間距離Ｄ１を３００μｍ以下とし、横方向のすべての対向隔壁間距離ＤＲを４００μｍとしている。図１０に示す例では、パネルを立て掛けて設置する場合、図面の縦上下方向に立て掛ける。
【００５１】
図１１（ａ）、（ｂ）および図１２（ａ）、（ｂ）に示す例では、対向するパネル基板の各別に互いに重なるように形成されたセグメント状の電極５とセグメント状の電極６とが重なり合う部分から構成されるとともに、重なり合う画素形成部分を、パネル基板間のギャップ確保機能を担う基板間ギャップ確保用で黒色の有色隔壁４−１で囲んでいる。図１１では図１１（ｂ）に拡大して示すように、六角形のセグメント画素の周囲に、画素との隙間なく、六角形のセルを形成するように黒色の隔壁を設けている。また、図１２では図１２（ｂ）に拡大して示すように、六角形のセグメント画素の周囲に、画素との隙間を設けて、四角形のセルを形成するように黒色の隔壁を設けている。ここで、１画素を囲む有色隔壁の縦方向の隔壁間距離ＤＣ（Ｙ１＋Ｙ２＋Ｙ３＋Ｙ４＋Ｙ５＋透明隔壁の幅）は３００μｍを超え、横方向の対向隔壁間距離ＤＲ（Ｘ１＋Ｘ２＋透明隔壁の幅）は４００μｍを超えている。そして、図１１（ａ）、（ｂ）および図１２（ａ）、（ｂ）に示す例では、有色隔壁で囲まれた領域を５分割した位置であって図中横方向に、それぞれが基板間ギャップ確保用で黒色の有色隔壁４−１よりも幅の狭い４本のセル形成用の透明隔壁４−２を形成するとともに、有色隔壁で囲まれた領域の中間で図中縦方向にセル形成用の透明隔壁４−２を形成する。これにより、有色隔壁で囲んだ内側に１０個のセルを形成し、縦方向に並ぶ対向隔壁間距離Ｙ１、Ｙ２、Ｙ３、Ｙ４、Ｙ５をいずれも３００μｍ以下とするとともに、横方向に並ぶ対向隔壁間距離Ｘ１、Ｘ２をいずれも４００μｍ以下としている。図１１（ａ）、（ｂ）および図１２（ａ）、（ｂ）に示す例では、パネルを立て掛けて設置する場合、図面の縦上下方向に立て掛ける。
【００５２】
次に、図１３（ａ）〜（ｃ）乃至図１６（ａ）〜（ｃ）を参照して、本発明の情報表示用パネルのパネル構造例をさらに詳細に説明する。図１３（ａ）〜（ｃ）乃至図１６（ａ）〜（ｃ）に示す例において、上述した図１〜図１２に示す例と同一の部材には同一の符号を付し、その説明を省略する。
【００５３】
図１３（ａ）〜（ｃ）はそれぞれ本発明の情報表示用パネルの一例の直交対向するライン電極の重なりで形成した１画素においてパネル構造、白ドット表示状態および黒ドット表示状態を説明するための図である。図１３（ａ）〜（ｃ）に示す例では、パネル基板１、２の各別に設けたライン電極５、６を直交交差させて形成した１対電極を１画素としている。そして、１画素に対応する基板間ギャップ確保用で黒色の有色隔壁４−１の内側に、基板間ギャップ確保用の有色隔壁４−１よりも幅の狭いセル形成用の透明隔壁４−２を、図１３（ａ）で示すように、縦方向および横方向にそれぞれ２本ずつ設け、有色隔壁で囲んだ内側を９セルで構成している。この９個のセルはいずれも、縦方向の対向隔壁距離は３００μｍ以下で、横方向の対向隔壁距離は４００μｍ以下に形成される。なお、１１は基板間ギャップ確保用の有色隔壁４−１の端部をパネル基板１に固定するための接着剤であり、ここでは透明隔壁４−２の上には接着剤を配置しない構成を示している。図１３（ｂ）で白表示となっている画素を表示媒体である粒子群を互いに反転移動させると、図１３（ｃ）に示したような黒表示となる。
【００５４】
本例では、セル形成用の透明隔壁４−２を用いたことにより、画素内に設けても非表示領域が増大することに起因する表示品質の低下を抑えることができる。また、基板間ギャップ確保用の有色隔壁４−１とセル形成用の透明隔壁４−２とは、セル形成用の透明隔壁４−２の幅を基板間ギャップ確保用の有色隔壁４−１の幅よりも狭く構成しているため、パネルを観察側から見たときに、セル形成用の透明隔壁４−２がさらに見えないように構成することができる。さらに、有色隔壁４−２の色を黒色とし、かつ、セル形成用の透明隔壁４−２を用いたため、表示画面の明るさを保持しつつ、黒色隔壁がブラックマトリックスとしての機能を発現するので、表示画像の鮮明度が劣化する問題を起こさない表示品質に優れた情報表示用パネルを得ることができる。
【００５５】
図１４（ａ）〜（ｃ）はそれぞれ本発明の情報表示用パネルの他の例の共通電極とＴＦＴ付き電極との重なりで形成した１画素においてパネル構造、白ドット表示状態および黒ドット表示状態を説明するための図である。図１４（ａ）〜（ｃ）に示す例では、パネル基板１、２の各別に設けた共通電極６及びＴＦＴ付き画素電極５を対向させて形成した１対電極を１画素としている。そして、１画素に対応する基板間ギャップ確保用で透明な隔壁の上面に有色の接着剤１１を配置して、有色隔壁４−１とし、その内側に、基板間ギャップ確保用の隔壁４−１よりも幅の狭いセル形成用の透明隔壁４−２を、図１４（ａ）で示すように、縦方向および横方向にそれぞれ２本ずつ設け、有色隔壁４−１で囲んだ内側を９セルで構成している。また、セル形成用の透明隔壁４−２の形状を図１４（ｂ）、（ｃ）に示すように上方向にいくほど幅が狭くなる先細り形状として、パネル基板５側に形成しておいてから２枚のパネル基板を貼り合わせて得ている。この９個のセルはいずれも、先細りの透明隔壁の先端にあたる最も広い部分において、縦方向の対向隔壁間距離は３００μｍ以下で、横方向の対向隔壁間距離は４００μｍ以下に形成される。
【００５６】
本例では、セル形成用の透明隔壁４−２を用いたことにより、画素内に設けても非表示領域が増大することに起因する表示品質の低下を抑えることができる。また、セル形成用の透明隔壁４−２の形状を、図１４（ａ）、（ｂ）に示すように、上方向にいくほど幅が狭くなる先細り形状とし、セル形成用の透明隔壁４−２の幅を基板間ギャップ確保用の隔壁４−１の幅よりも狭く構成しているので、パネルを観察側から見たときに、セル形成用隔壁４−２がさらに見えないようになっている。なお、パネル基板間の適正ギャップの確保は基板間ギャップ確保用の隔壁４−１で行っているため、セル形成用の透明隔壁４−２の先端は観察側のパネル基板２に接合する必要はない。さらに、隔壁４−１の隔壁部分をセル形成用の透明隔壁４−２と同じ材料で形成した。例えば、隔壁４−１と隔壁４−２とを、同じ厚さの透明なドライフィルムレジスト材を用いて、隔壁４−１は一定の幅で、隔壁４−２は先端ほど幅が小さくなるようにフォトリソ法で同時に形成している。そして、隔壁４−１の上面に白色接着剤を配置して、隔壁４−１を有色（白色）隔壁としている。隔壁４−１の頂上部に配した白色接着剤１１がホワイトマトリックスとしての機能を発現するので、表示画面の明るさを保持しつつ、表示画像の鮮明度が劣化する問題を起こさない表示品質に優れた情報表示用パネルを得ることができる。このように、隔壁４−１と先細り透明隔壁４−２とを背面パネル基板側に同時に作製すると効率的である。隔壁４−１の頂上に白色接着剤１１に代えて別色の接着剤や気泡を含ませた透明接着剤を配して、別色のマトリックスやホワイトマトリックスとすることもできる。
【００５７】
図１５（ａ）〜（ｃ）はそれぞれ本発明の情報表示用パネルのさらに他の例の直交対向するライン電極の重なりで形成した１画素においてパネル構造、白ドット表示状態および黒ドット表示状態を説明するための図である。図１５（ａ）〜（ｃ）に示す例では、パネル基板１、２の各別に設けたライン電極５、６を直交交差させて形成した１対電極を１画素としている。そして、１画素に対応する基板間ギャップ確保用で端部に黒色材１２を形成して観察側を黒色とした有色隔壁４−１の内側に、基板間ギャップ確保用の有色隔壁４−１よりも幅の狭いセル形成用の透明隔壁４−２を、図１５（ａ）で示すように、縦方向に２本設け、有色隔壁で囲んだ内側を３個の長方形セルで構成している。なお、図１５（ｂ）、（ｃ）で示す１１は基板間ギャップ確保用の有色隔壁４−１の端部をパネル基板１に固定するための接着剤であり、ここでは透明隔壁４−２の上には接着剤を配置しない構成を示している。
【００５８】
本例では、セル形成用の透明隔壁４−２を用いたことにより、画素内に設けても非表示領域が増大することに起因する表示品質の低下を抑えることができる。また、基板間ギャップ確保用の有色隔壁４−１とセル形成用の透明隔壁４−２と、セル形成用の透明隔壁４−２の幅を基板間ギャップ確保用の有色隔壁４−１の幅よりも狭く構成し、パネルを観察側から見たときに、セル形成用の透明隔壁４−２がさらに見えないように構成している。さらに、有色隔壁４−２の色を黒色とし、かつ、セル形成用の透明隔壁４−２を用いたため、表示画面の明るさを保持しつつ、有色隔壁がブラックマトリックスとしての機能を発現するので、表示画像の鮮明度が劣化する問題を起こさない表示品質に優れた情報表示用パネルを得ることができる。
【００５９】
図１６（ａ）〜（ｃ）はそれぞれ本発明の情報表示用パネルのさらに他の例の１画素においてパネル構造、白ドット表示状態および黒ドット表示状態を説明するための図である。図１６（ａ）〜（ｃ）に示す例では、パネル基板１、２の各別に設けたライン電極５、６を直交交差させて形成した１対電極を１画素としている。そして、１画素に対応する基板間ギャップ確保用で端部に白色材１３を形成して観察側を白色とした有色隔壁４−１の内側に、基板間ギャップ確保用の有色隔壁４−１よりも幅の狭いセル形成用の透明隔壁４−２を、図１６（ａ）で示すように、縦方向および横方向にそれぞれ２本ずつ設け、有色隔壁で囲んだ内側を９セルで構成している。この９個のセルはいずれも、透明隔壁のパネル基板側にあたる最も狭い部分において、縦方向の対向隔壁距離は３００μｍ以下で、横方向の対向隔壁間距離は４００μｍ以下に形成される。また、セル形成用の透明隔壁４−２を、各パネル基板１、２にそれぞれ形成し、先細り形状の先端部を有するセル形成用の透明隔壁部分４−２−１と４−２−２とを、先端部が対向するよう配置している。また、図１６（ｂ）、（ｃ）に示す１１は基板間ギャップ確保用の有色隔壁４−１の端部をパネル基板１に固定するための接着剤である。
【００６０】
本例では、セル形成用の透明隔壁４−２を用いたことにより、画素内に設けても非表示領域が増大することに起因する表示品質の低下を抑えることができる。また、セル形成用の透明隔壁４−２を、各パネル基板１、２にそれぞれ形成し、先細り形状の先端部を有するセル形成用の透明隔壁部分４−２−１と４−２−２とを、先端部が対向するよう配置することで、セル形成用の透明隔壁４−２の幅を基板間ギャップ確保用隔壁４−１の幅よりも狭く構成し、パネルを観察側から見たときに、セル形成用の透明隔壁４−２がなるべく見えないように構成している。なお、パネル基板間の適正ギャップの確保は基板間ギャップ確保用隔壁４−１で行っているため、セル形成用の透明隔壁４−２を構成するセル形成用の透明隔壁部分４−２−１と４−２−２との先端部を互いに接合する必要はなく、対向していさえすれば隙間があっても良い。さらに、有色隔壁４−２の色を白色とし、かつ、セル形成用の透明隔壁４−２を用いたため、有色隔壁がホワイトマトリックスとしての機能を発現するので、表示画面の明るさを保持しつつ、表示画像の鮮明度が劣化する問題を起こさない表示品質に優れた情報表示用パネルを得ることができる。
【００６１】
以下、本発明の情報表示用パネルを構成する部材について説明する。
【００６２】
基板間ギャップ確保用として設ける有色隔壁部分や、セル形成用の透明隔壁部分の形成材料としては、液状レジスト材やドライフィルムレジスト材が好適に用いられる。一例として、アルフォＮＩＴ２（ニチゴーモートン社製）やＰＤＦ３００（新日鐵化学社製）を使用することができる。
【００６３】
形成したい隔壁部分の高さに合せた厚みのドライフィルムレジスト材をパネル基板に積層したり、形成したい隔壁部分の高さに合わせて液状レジスト膜を塗布して、所定形状のフォトマスクを用いてフォトリソ法によってパターニングする。
【００６４】
画素内に配置する隔壁部分には、上記の透明なドライフィルムレジスト材や透明な液状レジスト材をそのまま用いて透明隔壁とすることができる。パネル基板間ギャップ確保用とする有色隔壁部分には、上記のドライフィルムレジスト材や液状レジスト材の材料に黒色の顔料や白色の顔料やその他所定の色の顔料を配合して作製したドライフィルムレジスト材を用いて有色隔壁とすることができる。
【００６５】
パネル基板間ギャップ確保用とする有色隔壁部分の観察側に位置する部分だけを、黒色または白色にする場合には、透明のドライフィルムレジスト材の上に、パネル基板間ギャップ確保用の有色隔壁部分に対応する位置だけに、上記した色の顔料を配合して作製したドライフィルムレジスト材を積層して有色隔壁としたり、上記した色の顔料を配合して作製したドライフィルムレジスト材を配置した上に、透明のドライフィルムレジスト材を積層して有色隔壁としたりすることができる。
【００６６】
パネル基板間ギャップ確保用の有色隔壁部分の幅は、２０μｍ〜１００μｍの範囲とし、画素内に形成する透明隔壁部分の幅は、５μｍ〜３０μｍの範囲とし、透明隔壁部分の幅をできるだけ小さくするのが好ましい。
【００６７】
対向して配置する導電膜に関して、観察側の透明基板の情報表示画面領域に設ける透明導電膜材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の透明導電金属酸化物類、ポリアニリン、ポリピロール、ポリチオフェン、３、４−エチレンジオキシチオフェン（ＰＥＤＯＴ／ＰＳＳ）等の透明導電性高分子類が挙げられる。
【００６８】
背面側基板や観察側基板の情報表示画面領域外に設ける導電膜材料としては、酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物（ＡＴＯ）、導電性酸化錫、導電性酸化亜鉛等の導電金属酸化物類、ポリアニリン、ポリピロール、ポリチオフェン、３、４−エチレンジオキシチオフェン（ＰＥＤＯＴ／ＰＳＳ）等の導電性高分子類や、金、銀、銅、アルミニウム、ニッケル、クロム等の金属や、これらの金属を主成分とする合金が挙げられる。背面側基板や観察側基板の情報表示画面領域外に設ける導電膜は透明であってもよいし、透明でなくても良い。
【００６９】
導電膜の形成方法としては、上記例示の材料をスパッタリング法、真空蒸着法、ＣＶＤ（化学蒸着）法、塗布法等で薄膜状に形成する方法や金属箔（例えば圧延銅箔）をラミネートする方法、導電剤を溶媒や合成樹脂バインダーに混合して塗布したりする方法が用いられる。パターン形成可能で導電性である上記材料を好適に用いることができる。なお、観察側基板の表示画面領域に設ける導電膜の厚みは、導電性が確保でき光透過性に支障がなければ良く、０．０１〜１０μｍが好ましく、０．０５〜５μｍがより好ましい。また、背面側基板や観察側基板の情報表示画面領域外に設ける導電膜の厚みは、導電性が確保できれば良く、０．０１〜１０μｍが好ましく、０．０５〜５μｍがより好ましい。
【００７０】
透明導電膜として好適なＩＴＯ等の透明金属酸化物導電性材料は、金属材料に比べて可とう性が小さい。観察側の情報表示画面領域に設ける導電膜をＩＴＯ等の透明金属酸化物とする場合には、透明金属酸化物導電膜中での断線防止のため、金属細線と併用することが好ましい。この金属細線の幅は、１μｍ〜１０μｍとすれば表示視認性の妨げとならないので好ましい。特に、ＩＴＯ等の透明金属酸化物をライン状の導電膜とする場合には、金属細線と併用すると断線防止効果が高まり好ましい。背面側基板や観察側の情報表示画面領域外に設ける導電膜は光透過性を考慮する必要がないので電気抵抗が小さく、可とう性にも優れた前記金属材料が好適に用いられる。また、背面側基板や観察側の情報表示画面領域外に設ける導電膜の厚みは電気抵抗および生産性、コストの観点から、０．０１〜１０μｍに設計される。
【実施例】
【００７１】
以下に示す情報表示用パネルを作製し、パネルを水平に置いた状態および地面に垂直に立て掛けた状態で表示媒体とした粒子群を駆動させて、テストパターン表示を５万回繰り返して書換え、セル内で粒子の偏在が発生していないかどうかを確認して性能評価を行った。
【００７２】
（１）実施例で用いた粒子群
＜黒色粒子群＞
ポリメチルペンテンポリマー（ＴＰＸ−Ｒ１８：三井化学社製）１００重量部と、着色剤としてカーボンブラック（スペシャルブラック４：デグッサ社製）５重量部と、正帯電の荷電制御剤としてニグロシン化合物（ボントロンＮ０７：オリエント化学製）３重量部、とを２軸混練機により溶融混練し、ジェットミル（ラボジェットミルＩＤＳ−ＬＪ型：日本ニューマチック工業（株）製）で細かく粉砕し、分級機（ＭＤＳ−２：日本ニューマチック工業（株）製）を用いて分級し、溶融球状化装置（ＭＲ−１０：日本ニューマチック工業（株）製）を用いて溶融球状化し、平均粒子径が９．２μｍの正帯電の黒色粒子群を得た。
【００７３】
＜白色粒子群＞
ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ボントロンＥ８９：オリエント化学製）５重量部とを２軸混練機により溶融混練し、ジェットミル（ラボジェットミルＩＤＳ−ＬＪ型：日本ニューマチック工業（株）製）で細かく粉砕し、分級機（ＭＤＳ−２：日本ニューマチック工業（株）製）を用いて分級し、溶融球状化装置（ＭＲ−１０：日本ニューマチック工業（株）製）を用いて溶融球状化し、平均粒子径が９．５μｍの負帯電の白色粒子群を得た。
【００７４】
＜粒子の充填量＞
隔壁で囲まれたセル内には、白黒２種類の粒子群を合わせた体積占有率が２５％となるように黒色粒子群および白色粒子群を等体積量ずつ充填した。
【００７５】
（２）実施例で用いた情報表示用パネルについて
隔壁は、表示用の透明ＩＴＯ導電膜がストライプ状に形成されたガラス基板上に５μｍ厚の黒色ドライフィルムレジスト材（ニチゴーモートン製、アルフォＮＩＴ２に黒色顔料を混合したもの）を貼り付けてラミネートした。次に、フォトマスクを用いて、パネル基板間ギャップ確保用の黒色隔壁部分に対応する位置に対応した黒色ドライフィルムレジストの部位のみにｉ線の平行光を用いてパターン露光を行い、黒色隔壁部分に相当する部位を硬化させた。次に、例えば０．１％炭酸ナトリウム水溶液で現像して、黒色ドライフィルムレジストが硬化した部位以外の非硬化部分を取り除いた。その後、純水で洗浄し、乾燥させた。続いて、黒色隔壁部分が形成されたガラス基板上に、透明な液状レジスト材を５０μｍ厚に塗布した後、隔壁の配置に合わせたフォトマスクを用いて、上述したフォトリソ法を行って、高さ５０μｍの黒色隔壁部分と、高さ５０μｍの透明隔壁部分とを作製した。隔壁上面に接着剤を配置した後、もう一方の透明ＩＴＯ導電膜がストライプ状に形成された背面側とするガラス基板と貼り合わせて評価用の情報表示用パネルを得た。
【００７６】
＜実施例１＞
７００μｍ厚のガラス基板にＩＴＯ導電膜を、幅４００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅４００μｍのストライプ電極が対向直交交差して形成する画素サイズは４００μｍ×４００μｍとなる。この画素１個を取り囲むように、黒色の隔壁を幅３０μｍ、高さ５０μｍで形成した。画素と黒色隔壁との間には１０μｍの隙間を設けた。さらに、この黒色隔壁の内側領域を均等に分割するように、幅２０μｍ、高さ５０μｍの透明隔壁を縦横に１本ずつ形成した。
【００７７】
＜実施例２＞
７００μｍ厚のガラス基板にＩＴＯ導電膜を、幅５００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅５００μｍのストライプ電極が対向直交交差して形成する画素サイズは５００μｍ×５００μｍとなる。この画素１個を取り囲むように、黒色の隔壁を幅３０μｍ、高さ５０μｍで形成した。画素と黒色隔壁との間には１０μｍの隙間を設けた。さらに、この黒色隔壁の内側領域を均等に分割するように、幅２０μｍ、高さ５０μｍの透明隔壁を縦横に１本ずつ形成した。
【００７８】
＜実施例３＞
７００μｍ厚のガラス基板にＩＴＯ導電膜を、幅１０００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅１０００μｍのストライプ電極が対向直交交差して形成する画素サイズは１０００μｍ×１０００μｍとなる。この画素１個を取り囲むように、黒色の隔壁を幅５０μｍ、高さ５０μｍで形成した。画素と黒色隔壁との間には隙間を設けなかった。さらに、この黒色隔壁の内側領域を均等に分割するように、幅５０μｍ、高さ５０μｍの透明隔壁を縦横に２本ずつ形成した。
【００７９】
＜実施例４＞
７００μｍ厚のガラス基板にＩＴＯ導電膜を、幅１０００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅１０００μｍのストライプ電極が対向直交交差して形成する画素サイズは１０００μｍ×１０００μｍとなる。この画素１個を取り囲むように、黒色の隔壁を幅５０μｍ、高さ５０μｍで形成した。画素と黒色隔壁との間には隙間を設けなかった。さらに、この黒色隔壁の内側領域を均等に分割するように、幅２０μｍ、高さ５０μｍの透明隔壁を縦横に３本ずつ形成した。
【００８０】
＜実施例５＞
７００μｍ厚のガラス基板にＩＴＯ導電膜を、幅３００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅３００μｍのストライプ電極が対向直交交差して形成する画素サイズは３００μｍ×３００μｍとなる。この画素１個を取り囲むように、黒色の隔壁を幅３０μｍ、高さ５０μｍで形成した。画素と黒色隔壁との間には１０μｍの隙間を設けた。さらに、この黒色隔壁の内側領域を縦方向に均等分割するように、幅２０μｍ、高さ５０μｍの透明隔壁を横に１本形成した。
【００８１】
＜実施例６＞
７００μｍ厚のガラス基板にＩＴＯ導電膜を、幅４００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅４００μｍのストライプ電極が対向直交交差して形成する画素サイズは４００μｍ×４００μｍとなる。この画素１個を取り囲むように、黒色の隔壁を幅５０μｍ、高さ５０μｍで形成した。画素と黒色隔壁との間には隙間を設けなかった。さらに、この黒色隔壁の内側領域を縦方向に均等分割するように、幅２０μｍ、高さ５０μｍの透明隔壁を横に１本形成した。
【００８２】
＜実施例７＞
７００μｍ厚のガラス基板にＩＴＯ導電膜を、幅４００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅４００μｍのストライプ電極が対向直交交差して形成する画素サイズは４００μｍ×４００μｍとなる。この画素１個を取り囲むように、黒色の隔壁を幅３０μｍ、高さ５０μｍで形成した。さらに、この黒色隔壁の内側領域を横方向に均等分割するように、幅２０μｍ、高さ５０μｍの透明隔壁を縦に１本形成した。即ち、実施例６と同様に作製した情報表示用パネルを用いて、垂直置きでの繰り返し書換え試験を、実施例６のときとパネルの向きを９０°変えて、即ち、縦横を逆にして評価した。
【００８３】
＜実施例８＞
７００μｍ厚のガラス基板にＩＴＯ導電膜を、幅６００μｍ、スペース５０μｍでストライプ状にパターニングした電極付きガラス基板を、ストライプ電極が直交するように対向させた空間に、上記の帯電性粒子を含んだ粒子群として構成した白黒２種類の表示媒体を封入した構造の情報表示用パネルを作製した。幅６００μｍのストライプ電極が対向直交交差して形成する画素サイズは６００μｍ×６００μｍとなる。この画素１個を取り囲むように、黒色の隔壁を幅５０μｍ、高さ５０μｍで形成した。画素と黒色隔壁との間には隙間を設けなかった。さらに、この黒色隔壁の内側領域を均等に分割するよに、幅２５μｍ、高さ５０μｍの透明隔壁を縦横に４ずつ形成した。
【００８４】
＜参考例１＞
観察側とする７００μｍ厚のガラス基板にＩＴＯ導電膜を、幅４００μｍ、スペース３０μｍでストライプ状にパターニングし、背面側とする７００μｍ厚のガラス基板にＩＴＯ導電膜を、幅３００μｍ、スペース３０μｍでストライプ状にパターニングした２枚の電極付きガラス基板を、ストライプ電極が直交するように対向させた空間に、上述した帯電性粒子を含んだ粒子群として構成した白黒２種類の表示媒体を封入した構造の情報表示用パネルを作製した。幅４００μｍのストライプ電極と幅３００μｍのストライプ電極とが対向直交交差して形成する画素サイズは４００μｍ×３００μｍとなる。この画素１個を取り囲むように、黒色の隔壁を幅５０μｍ、高さ５０μｍで形成した。画素と黒色隔壁との間には隙間を設けなかった。画素と黒色隔壁との間には隙間を設けなかった。そしてこの黒色隔壁の内側領域に透明隔壁を設けなかった。
【００８５】
＜比較例１＞
７００μｍ厚のガラス基板にＩＴＯ導電膜を、幅４００μｍ、スペース５０μｍでストライプ状にパターニングした電極付きガラス基板を、ストライプ電極が直交するように対向させた空間に、上述した帯電性粒子を含んだ粒子群として構成した白黒２種類の表示媒体を封入した構造の情報表示用パネルを作製した。幅４００μｍのストライプ電極が対向直交交差して形成する画素サイズは４００μｍ×４００μｍとなる。この画素１個を取り囲むように、黒色の隔壁を幅３０μｍ、高さ５０μｍで形成した。画素と黒色隔壁との間には１０μｍの隙間を設けた。そして、この黒色隔壁の内側領域には透明隔壁を設けなかった。
【００８６】
＜比較例２＞
観察側とする７００μｍ厚のガラス基板にＩＴＯ導電膜を、幅４００μｍ、スペース５０μｍでストライプ状にパターニングし、背面側とする７００μｍ厚のガラス基板にＩＴＯ導電膜を、幅３００μｍ、スペース５０μｍでストライプ状にパターニングした２枚の電極付きガラス基板を、ストライプ電極が直交するように対向させた空間に、上記の帯電性粒子を含んだ粒子群として構成した白黒２種類の表示媒体を封入した構造の情報表示用パネルを作製した。幅４００μｍのストライプ電極と幅３００μｍのストライプ電極とが対向直交交差して形成する画素サイズは４００μｍ×３００μｍとなる。この画素１個を取り囲むように、黒色の隔壁を幅３０μｍ、高さ５０μｍで形成した。画素と黒色隔壁との間には１０μｍの隙間を設けた。そして、この黒色隔壁の内側領域には透明隔壁を設けなかった。
【００８７】
結果を以下の表１にまとめて示す。
【００８８】
【表１】
2011018007.tif 000003
【００８９】
表１の結果から、立てて用いられることが多い大画面のディスプレイパネルで採用される比較的大サイズの画素、具体的には、横方向の長さが４００μｍ超で、縦方向の長さが３００μｍ超の画素を配置した情報表示用パネルにおいて、１つの画素の周囲に設けた有色隔壁と、その有色隔壁の内側領域をさらに細かく区切って複数のセルを形成する透明隔壁と、から構成して、セルを形成する隔壁の縦方向のすべての対向隔壁間距離を３００μｍ以下とし、セルを形成する隔壁の横方向のすべての対向隔壁間距離を４００μｍ以下とした本発明の実施例１〜８に係る情報表示用パネルは、水平に置いて、または、垂直に立てて表示情報の書換えを繰り返して行なっても、セル内に表示媒体として配置された粒子群が、パネル基板と平行な方向に位置ずれを起こして偏在することがなく、表示品質が低下することがない情報表示用パネルとなっていることがわかる。
【００９０】
比較例１に係る情報表示用パネルは、有色隔壁の内側に透明隔壁を設けることなく、セルを形成する隔壁の縦方向の対向隔壁間距離を４２０μｍ（３００μｍ超のまま）とし、セルを形成する隔壁の横方向の対向隔壁間距離を４２０μｍ（４００μｍ超のまま）としているため、比較例２に係る情報表示用パネルは、有色隔壁の内側に透明隔壁を設けることなく、セルを形成する隔壁の縦方向の対向隔壁間距離を３２０μｍ（３００μｍ超のまま）とし、セルを形成する隔壁の横方向の対向隔壁間距離を４２０μｍ（４００μｍ超のまま）としているため、いずれの情報表示用パネルを、水平に置いて、または、垂直に立てて表示情報の書換えを繰り返して行なっても、セル内に表示媒体として配置された粒子群が、パネル基板と平行な方向に位置ずれを起こして偏在してしまって表示品質が低下してしまう情報表示用パネルとなっていることがわかる。
【００９１】
また、参考例１に係る情報表示用パネルは、有色隔壁の内側に透明隔壁を設けることなく、セルを形成する隔壁の縦方向の対向隔壁間距離を３００μｍとし、セルを形成する隔壁の横方向の対向隔壁間距離を４００μｍとしているため、本発明のように有色隔壁の内側に透明隔壁を設けてはいないが、情報表示用パネルを、水平に置いて、または、垂直に立てて表示情報の書換えを繰り返し行なっても、セル内に表示媒体として配置された粒子群が、パネル基板と平行な方向に位置ずれを起こして偏在することがなく、表示品質の低下がない情報表示用パネルとなっていることがわかる。
【００９２】
以上のことから、画素サイズが、縦３００μｍ以上、横４００μｍ以上の場合にその画素の周囲に設ける有色隔壁における対向隔壁間距離において、縦方向の対向隔壁間距離が３００μｍ超となったり、横方向の対向隔壁間距離が４００μｍ超となったりする場合に、有色隔壁の内側に透明隔壁を設けて複数のセルに分割することによって、セルを形成する隔壁の縦方向のすべての対向隔壁間距離を３００μｍ以下とし、セルを形成する隔壁の横方向のすべての対向隔壁間距離を４００μｍ以下とすることによって、水平に置いて、または、垂直に立てて表示情報の書換えを繰り返して行なっても、セル内に表示媒体として配置された粒子群が、パネル基板と平行な方向に位置ずれを起こして偏在することがなく、表示品質の低下がない情報表示用パネルとできることがわかる。
【産業上の利用可能性】
【００９３】
本発明の情報表示用パネルは、常時立てて使用されることの多い、大画面での表示が必要となる、看板、ポスター等の情報表示ボードや、黒板、ホワイトボード等の掲示板として好適に用いられる。また、本発明の情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式やセグメント駆動方式など、種々のタイプの駆動方式が適用できる。電極端子を有するペンタイプの書き込み器と本発明の情報表示用パネルに配した電極（導電膜）とで形成する電極対から電界を付与して、表示媒体を駆動させて情報表示を行うこともできる。
【符号の説明】
【００９４】
１、２  基板
３Ｗ  白色表示媒体
３Ｗａ  負帯電性白色粒子
３Ｂ  黒色表示媒体
３Ｂａ  正帯電性黒色粒子
４  隔壁
４−１  有色隔壁
４−２  透明隔壁
４−２−１、４−２−２  透明隔壁部分
５、６  電極
１１  接着剤
１２  黒色材
１３  白色材
２１−１  第１のセル
２１−２  第２のセル
２１−３  第３のセル
２２Ｒ  赤色カラーフィルター
２２Ｇ  緑色カラーフィルター
２２ＢＬ  青色カラーフィルター
【図１】
2011018007.tif 000004
【図２】
2011018007.tif 000005
【図３】
2011018007.tif 000006
【図４】
2011018007.tif 000007
【図５】
2011018007.tif 000008
【図６】
2011018007.tif 000009
【図７】
2011018007.tif 000010
【図８】
2011018007.tif 000011
【図９】
2011018007.tif 000012
【図１０】
2011018007.tif 000013
【図１１】
2011018007.tif 000014
【図１２】
2011018007.tif 000015
【図１３】
2011018007.tif 000016
【図１４】
2011018007.tif 000017
【図１５】
2011018007.tif 000018
【図１６】
2011018007.tif 000019
【図１７】
2011018007.tif 000020
【図１８】
2011018007.tif 000021